(57)【要約】【課題】  画像表示装置の表示体で表示するコンテンツを、画像表示装置の使用者にストレスや焦燥感を与えないような書き換え方向で書き換える。【解決手段】  画像表示システム１は、コンテンツの描画データを生成する描画データ生成手段２０５と、コンテンツの文字が読解可能状態に迅速に遷移すべく、描画データに含まれる所定の情報に基いて画像の書き換え方向を規定する書き換え方向規定手段２１０と、書き換え方向を示す情報を描画データに付加するデータ合成手段２２０と、描画データを出力するデータ出力手段２２５とを有する描画データ出力装置２、および、描画データを入力するデータ入力手段２５０と、描画データから書き換え方向を示す情報を抽出するデータ抽出手段２５５と、描画データが示す画像を、抽出した書き換え方向に沿って、記憶性表示体１１５の画素列毎に描画する描画手段２７０とを有する画像表示装置３を備える。【選択図】      図３
2006285176.tif 000002
【特許請求の範囲】
【請求項１】
文字を含むコンテンツの描画データを出力する描画データ出力装置と、
入力した描画データが示す画像を所定の画素列で構成される表示体に表示させる画像表示装置とが描画データを授受可能に接続された画像表示システムであって、
描画データ出力装置は、
前記画像表示装置で表示可能な前記コンテンツの描画データを生成する描画データ生成手段と、
前記表示体に表示される前記文字を含むコンテンツを判読可能な状態に迅速に遷移させるべく、前記描画データに含まれる所定の情報に基いて、前記表示体上での前記画像の書き換え方向を規定する規定手段と、
前記書き換え方向を示す情報を前記描画データに付加する付加手段と、
前記描画データを出力する出力手段とを有し、
画像表示装置は、
前記描画データを入力する入力手段と、
前記描画データから前記書き換え方向を示す情報を抽出する抽出手段と、
前記描画データが示す画像を、前記情報が示す前記書き換え方向に沿って、前記表示体の画素列毎に描画する描画手段とを有することを特徴とする画像表示システム。
【請求項２】
請求項１に記載の画像表示システムにおいて、
前記所定の情報は、
前記コンテンツの表示方向と、
前記文字の組み方と、
前記コンテンツをページ単位に分割して、前記表示体上で一度に表示可能なページ数とを含むことを特徴とする画像表示システム。
【請求項３】
請求項１乃至２に記載の画像表示システムにおいて、
前記書き換え方向は、
前記表示体の平面視縦方向又は横方向の何れか一方の方向と、
前記表示体上で前記画素列が書き換わる方向とを含むことを特徴とする画像表示システム。
【請求項４】
請求項１乃至３のいずれか１項に記載の画像表示システムにおいて、
描画データ出力装置は、
前記コンテンツの書誌情報を示す画像データを生成する書誌データ生成手段と、
前記書誌情報を前記コンテンツよりも先に前記表示体に表示させるべく、前記書き換え方向を示す情報に基いて、前記画像データを前記描画データの所定位置に追加する書誌データ追加手段とを更に備えることを特徴とする画像表示システム。
【請求項５】
請求項４に記載の画像表示システムにおいて、
前記書誌データ追加手段は、
前記描画データが示す画像の中で、前記書き換え方向に従い最初に描画される位置に前記画像データが示す画像を追加することを特徴とする画像表示システム。
【請求項６】
文字を含むコンテンツの画像を、所定の画素列で構成する表示体に表示させる画像表示装置であって、
前記表示体に表示される前記画像の書き換え方向に関する情報を含み、前記コンテンツの画像を示す描画データを入力する入力手段と、
前記描画データの中から、前記表示体での前記画像の書き換え方向を示す情報を抽出する抽出手段と、
前記描画データが示す画像を、前記情報が示す前記書き換え方向に沿って、前記表示体の画素列毎に描画する描画手段とを備え、
前記画像の書き換え方向に関する情報は、前記表示体に表示される前記文字を含むコンテンツを判読可能な状態に迅速に遷移させるべく規定されていることを特徴とする画像表示装置。
【請求項７】
請求項６に記載の画像表示装置において、
前記入力した描画データには、前記コンテンツの書誌情報を更に含み、
前記抽出手段は、前記描画データから前記書誌情報を更に抽出すると共に、
前記書誌情報を示す画像データを生成する書誌データ生成手段と、
前記書誌情報を前記コンテンツよりも先に前記表示体に表示させるべく、前記書き換え方向を示す情報に基いて、前記画像データを前記描画データの所定位置に追加する書誌データ追加手段とを更に備えることを特徴とする画像表示装置。
【請求項８】
請求項６乃至７に記載の画像表示装置において、
前記表示体で表示する前記コンテンツの位置を指示する位置指示手段と、
前記指示に従い、前記描画手段に対して、前記表示体に描画する画像の内容を最優先で更新させる割り込み指示手段とを更に備えることを特徴とする画像表示装置。
【発明の詳細な説明】
【技術分野】
【０００１】
本発明は、コンテンツを表示する画像表示システムおよび画像表示装置に関する。
【背景技術】
【０００２】
ディスプレイとして記憶性表示体を用いた情報表示端末が実用化されている。この記憶性表示体は、書き換え時以外は電力を必要とせず省電力であるため、電子ブック等のディスプレイとして好適である。しかし、このような記憶性表示体は、通常の記憶性を備えない表示体に比べ、一般的に表示の書き換え速度が遅いという特性を有する。特に、記憶性表示体の縦横の画素数が１０００画素を超えるような高解像度のディスプレイの場合、表示の書き換えには、使用者が知覚できる程度の時間を要した。このような記憶性表示体の書き換え速度が遅いことを使用者に知覚させない方法としては、下記特許文献１のように、液晶駆動電圧の印加時間を短時間で複数回に分割すると共に、記憶性表示体のコントラストを徐々に高めることによりフェードインを演出する表示を行っていた。更に、現在表示しているコンテンツのページとは異なるページを表示する場合は、フェードインを演出する表示に加えて、ページ捲りのような動作を連続して実行することで、書き換え動作を視覚的に表現していた。
【０００３】
【特許文献１】特開２０００−１４７４６６号公報
【発明の開示】
【発明が解決しようとする課題】
【０００４】
しかしながら、従来の方法では、記憶性表示体での表示方向や、文字の組み方である文字方向がコンテンツにより異なるにも係らず、書き換え方向は、常に一定の方向であった。従って、使用者は、これらの方向によっては、書き換えが完了するまで書誌情報を含むコンテンツの情報を読み始めることができなかった。その結果、使用者は、書き換えが開始されてから完了するまでの間、ストレスや焦燥感を感じた。
【課題を解決するための手段】
【０００５】
上記した課題を解決するために、本発明の画像表示システムは、文字を含むコンテンツの描画データを出力する描画データ出力装置と、入力した描画データが示す画像を所定の画素列で構成される表示体に表示させる画像表示装置とが描画データを授受可能に接続された画像表示システムであって、描画データ出力装置は、前記画像表示装置で表示可能な前記コンテンツの描画データを生成する描画データ生成手段と、前記表示体に表示される前記文字を含むコンテンツを判読可能な状態に迅速に遷移させるべく、前記描画データに含まれる所定の情報に基いて、前記表示体上での前記画像の書き換え方向を規定する規定手段と、前記書き換え方向を示す情報を前記描画データに付加する付加手段と、前記描画データを出力する出力手段とを有し、画像表示装置は、前記描画データを入力する入力手段と、前記描画データから前記書き換え方向を示す情報を抽出する抽出手段と、前記描画データが示す画像を、前記情報が示す前記書き換え方向に沿って、前記表示体の画素列毎に描画する描画手段とを有することを特徴とする。
この発明によれば、描画データ出力装置は、表示体に表示される文字を含むコンテンツが判読可能状態に迅速に遷移すべく書き換え方向を規定し、画像表示装置は、規定された前記方向に従い表示体を書き換えるため、使用者は、表示体での書き換えが完了するのを待つ事無く、書き換わった画素列から順次、コンテンツの文字を読むことができる。
【０００６】
本発明では、前記所定の情報は、前記コンテンツの表示方向と、前記文字の組み方と、前記コンテンツをページ単位に分割して、前記表示体上で一度に表示可能なページ数とを含むことが好ましい。
この発明によれば、コンテンツの表示方向と、文字の組み方と、表示体上で一度に表示可能なページ数との情報に基いて、画像の書き換え方向を規定できる。
【０００７】
本発明では、前記書き換え方向は、前記表示体の平面視縦方向又は横方向の何れか一方の方向と、前記表示体上で前記画素列が書き換わる方向とを含むことが好ましい。
この発明によれば、画像の書き換え方向は、表示体の平面視縦方向又は横方向の何れか一方の方向と、表示体上で前記画素列が書き換わる方向とを明示することで一意に決まる。
【０００８】
本発明では、描画データ出力装置は、前記コンテンツの書誌情報を示す画像データを生成する書誌データ生成手段と、前記書誌情報を前記コンテンツよりも先に前記表示体に表示させるべく、前記書き換え方向を示す情報に基いて、前記画像データを前記描画データの所定位置に追加する書誌データ追加手段とを更に備えることが好ましい。
また、本発明では、前記書誌データ追加手段は、前記描画データが示す画像の中で、前記書き換え方向に従い最初に描画される位置に前記画像データが示す画像を追加しても良い。
この発明によれば、書誌情報は、コンテンツよりも先に表示体に表示されるため、使用者は、表示体に表示するコンテンツの書誌情報を、コンテンツが表示される前に視認できる。
【０００９】
上記した課題を解決するために、本発明の画像表示装置は、文字を含むコンテンツの画像を、所定の画素列で構成する表示体に表示させる画像表示装置であって、前記表示体に表示される前記画像の書き換え方向に関する情報を含み、前記コンテンツの画像を示す描画データを入力する入力手段と、前記描画データの中から、前記表示体での前記画像の書き換え方向を示す情報を抽出する抽出手段と、前記描画データが示す画像を、前記情報が示す前記書き換え方向に沿って、前記表示体の画素列毎に描画する描画手段とを備え、前記画像の書き換え方向に関する情報は、前記表示体に表示される前記文字を含むコンテンツを判読可能な状態に迅速に遷移させるべく規定されていることを特徴とする。
この発明によれば、画像表示装置は、表示体に表示されるコンテンツの文字が判読可能状態に迅速に遷移すべく規定された方向に従い表示体を書き換えるため、使用者は、表示体での書き換えが完了するのを待つ事無く、書き換わった画素列から順次コンテンツの文字を読むことができる。
【００１０】
本発明では、前記入力した描画データには、前記コンテンツの書誌情報を更に含み、前記抽出手段は、前記描画データから前記書誌情報を更に抽出すると共に、前記書誌情報を示す画像データを生成する書誌データ生成手段と、前記書誌情報を前記コンテンツよりも先に前記表示体に表示させるべく、前記書き換え方向を示す情報に基いて、前記画像データを前記描画データの所定位置に追加する書誌データ追加手段とを更に備えることが好ましい。
この発明によれば、書誌情報は、コンテンツよりも先に表示体に表示されるため、使用者は、表示体に表示するコンテンツの書誌情報を、コンテンツが表示される前に視認できる。
【００１１】
本発明では、前記表示体で表示する前記コンテンツの位置を指示する位置指示手段と、
前記指示に従い、前記描画手段に対して、前記表示体に描画する画像の内容を最優先で更新させる割り込み指示手段とを更に備えることが好ましい。
この発明によれば、表示体に描画される画像は、位置指示手段の指示に従い、最優先で更新されるため、使用者は、指示したコンテンツの書誌情報をより早く視認できる。
【発明を実施するための最良の形態】
【００１２】
以下、本発明の実施形態を図面に基いて説明する。
（実施形態１）
【００１３】
図１は、本実施形態１に係る画像表示システム１の外観を示す外観構成図である。この画像表示システム１は、描画データ出力装置であるホストコンピュータ２と、画像表示装置３とを備えて構成され、ホストコンピュータ２と画像表示装置３は、ＵＳＢケーブル８２を介して接続されている。この画像表示システム１は、ホストコンピュータ２で生成した画像の描画データを画像表示装置３に送り、画像表示装置３上で描画データの描画イメージを表示するシステムである。このシステムは、プリンタドライバと略同一の機能を有するドライバで印刷処理を行い、印刷結果を電子ファイルとして出力する「仮想プリンタ」方式を採用している。
ホストコンピュータ２は、本体部７５、ディスプレイ２５、キーボード６０等を具備する。本体部７５の前面には、メディアカード８５（図２）を挿入して、情報を読み書きできるカードＩ／Ｆ８０（図２）を有する。また、本体部７５の背面には、ＵＳＢ（Universal Serial Bus）接続のためのＵＳＢ端子６６（図２）を有する。
画像表示装置３は、表示記憶性を有する記憶性表示体１１５と、この記憶性表示体１１５で表示する画像の位置を指示すると共に、ページ捲りを行うページ捲りボタン１４５とを表面上に具備する。また、この画像表示装置３の長辺方向の一方の側面には、メディアカード８５（図２）を挿入して、情報を読み書きできるカードＩ／Ｆ１３０（図２）を有し、この画像表示装置３の短辺方向の一方の側面には、ＵＳＢ接続のためのＵＳＢ端子１２２を有する。
このような構成において、画像表示装置３は、ホストコンピュータ２で生成された画像データを読み込んだ後、この画像データが示す１ページ目の画像１１６Ｂを、記憶性表示体１１５に表示する。ここで、送り方向のページ捲りボタン１４５Ｂが押下されると、記憶性表示体１１５の一方の側から、２ページ目の画像１１６Ａに画素列毎に順次書き換えられる。
【００１４】
＜画像表示システムのハードウェア構成＞
次に、画像表示システム１のハードウェア構成について説明する。図２は、画像表示システム１のハードウェア構成を示す構成図であり、先ず、ホストコンピュータ２のハードウェア構成について説明する。このホストコンピュータ２は、ＣＰＵ（Central  Processing  Unit）１０、ＲＡＭ（Random  Access  Memory）１５、ＲＯＭ（Read  Only  Memory）３０、ハードディスクコントローラ３５、ディスプレイコントローラ２０、マウスコントローラ４５、キーボードコントローラ５５、ＵＳＢコントローラ６５およびカードＩ／Ｆ（Inter  Face）８０を備えて構成される。加えて、これらの各部は、バス７０により、互いの信号が授受可能に接続されている。
ＣＰＵ１０は、ＲＯＭ３０に格納された基本制御プログラムや、ＲＯＭ３０およびＨＤＤ４０に格納されたアプリケーションプログラムなどの各種プログラム及びデータを読み込み、これらの各種プログラム及びデータをＲＡＭ１５内に設けられるメインメモリ領域に展開して実行し、ホストコンピュータ２が備える各部の制御を実行する。
ハードディスクコントローラ３５は、ＨＤＤ４０を駆動する。マウスコントローラ４５は、マウス５０から入力された情報を入力する。キーボードコントローラ５５は、キーボード６０から入力された情報を入力する。ＵＳＢコントローラ６５は、ＵＳＢ端子６６を介して、ＵＳＢ規格で情報の伝達を行う。カードＩ／Ｆ８０は、メディアカード８５Ａに対して情報を読み書きする。更に、ディスプレイコントローラ２０は、ディスプレイ２５を駆動する。
【００１５】
次に、画像表示装置３について説明する。この画像表示装置３は、ＣＰＵ１００、ＲＡＭ１０５、ＲＯＭ１２５、ＶＲＡＭ１５５、カードＩ／Ｆ１３０、入力Ｉ／Ｆ１４０、ディスプレイコントローラ１１０およびＵＳＢコントローラ１２０を備えて構成される。これらの各部は、バス１５０により、互いの信号が授受可能に接続されている。
ＣＰＵ１００は、ＲＯＭ１２５に格納された基本制御プログラムや、ＲＯＭ１２５およびカードＩ／Ｆ１３０に接続されたメディアカード８５Ｂに格納されたアプリケーションプログラムなどの各種プログラム及びデータを読み込み、これらの各種プログラム及びデータをＲＡＭ１０５内に設けられるメインメモリ領域やＶＲＡＭ１５５に展開して実行し、画像表示装置３が備える各部の制御を実行する。
また、入力Ｉ／Ｆ１４０は、ページ捲りボタン１４５から入力された情報を入力する。ＵＳＢコントローラ１２０は、ＵＳＢ端子１２２を介して、ＵＳＢ規格で情報の伝達を行う。カードＩ／Ｆ１３０は、メディアカード８５Ｂに対して情報を読み書きする。更に、ディスプレイコントローラ１１０は、パッシブ駆動の記憶性表示体１１５を駆動する。この記憶性表示体１１５は、電気泳動方式による表示体や、コレステリック液晶などを採用できる。
【００１６】
＜画像表示システムの機能構成＞
次に、画像表示システム１の機能構成とデータの流れについて説明する。図３は、画像表示システム１の機能構成を示す図である。最初に、ホストコンピュータ２の機能構成を説明する。ホストコンピュータ２は、コンテンツ作成手段２００と、描画データ生成手段２０５と、書き換え方向規定手段２１０と、書き換え方向入力手段２１５と、データ合成手段２２０と、データ出力手段２２５とを備える。
コンテンツ作成手段２００は、例えば、Ｍｉｃｒｏｓｏｆｔ社製のＷｏｒｄやＥｘｃｅｌのように、使用者が必要に応じて起動し、コンテンツを作成するアプリケーションソフトである。また、コンテンツ作成手段２００は、作成したコンテンツをファイル形式でＨＤＤ４０に記憶する。更に、コンテンツ作成手段２００は、記憶されたコンテンツのファイルを開いて、コンテンツ内容を修正し、ＨＤＤ４０に上書き、または、ファイルの名前を変えて保存できる。
描画データ生成手段２０５は、コンテンツの描画データを生成するドライバである。このドライバは、プリンタドライバと略同一の機能を有する。即ち、この描画データ生成手段２０５が生成する描画データは、図示を略すが、印刷ジョブデータと同じ構造であり、データの先頭部を構成する情報ヘッダと、複数のページで構成され、ページ毎に分離可能な画像データとで構成される。
ここで、情報ヘッダについて、図４も参照して説明する。情報ヘッダは、ジョブ言語で記述され、主として書誌的情報を含む。この書誌的情報は、例えば、画像表示装置３の記憶性表示体１１５で表示する方向を示す情報を含む。一般に表示体の画素は、記憶性表示体１１５のように長方形の形状に配置される。従って、コンテンツ毎に表示する方向、即ち、縦長表示であるポートレイトモード、または横長表示であるランドスケープモードの何れかは、描画データを生成する際に決定され、情報ヘッダ内に記述される。また、この情報ヘッダには、画像表示装置３の記憶性表示体１１５で表示する文字の組み方を示す情報が含まれる。この組み方は、縦書きと、横書きとに分類できる。更に、１つの画面に複数のページを表示する割り付け表示が知られている。この場合も、割り付けるページ数や割り付ける順序は、描画データを生成する際に決定され、情報ヘッダ内に記述される。尚、上記したそれぞれの決定は、ディスプレイ２５に表示される描画データ生成手段２０５のレイアウト設定機能（図示を略す）により、自動設定またはユーザにより設定される。
【００１７】
書き換え方向規定手段２１０は、情報ヘッダを解析して、記憶性表示体１１５を書き換える方向を規定する規定手段である。具体的には、前記した表示する方向や、割り付けに関する情報に基いて、書き換える方向を規定する。書き換える方向を規定する処理については、後述する。
書き換え方向入力手段２１５は、記憶性表示体１１５を書き換える方向を、使用者が規定するための入力手段である。使用者は、ディスプレイ２５に表示されるユーザインターフェイス画面（図示を略す）を介して、書き換える方向を入力する。ここで入力された書き換える方向に関する情報は、書き換え方向規定手段２１０に送られ、情報ヘッダの前記した情報よりも優先される。
データ合成手段２２０は、書き換え方向規定手段２１０で規定した書き換える方向についての情報を、描画データに付加する付加手段であり、具体的には、前記した情報ヘッダに記述する。この場合、情報ヘッダ内に新規の設定領域を設けても良く、また、既存のデータの空き領域を利用しても良い。
データ出力手段２２５は、コンテンツの描画データを出力する出力手段である。具体的には、ＵＳＢ端子６６を介したＵＳＢ規格での送信や、カードＩ／Ｆ８０に装着されたフラッシュメモリカードやハードディスクカード等のメディアカード８５Ａへのデータの書き込みを行う。
上記した各機能は、それぞれのＣＰＵ１０やＲＡＭ１５等からなるハードウェア資源と、ＲＯＭ３０やＨＤＤ４０等に記憶された種々のソフトウェアとが有機的に協働することにより、前記したそれぞれの機能を実現している。更に、これらの機能は、例えば、Ｍｉｃｒｏｓｏｆｔ社製のＷｉｎｄｏｗｓ（登録商標）のようなＯＳ（Operating System）により制御されている。
【００１８】
次に、画像表示装置３の機能構成を説明する。この画像表示装置３は、データ入力手段２５０と、データ抽出手段２５５と、書き換え方向記憶手段２６０と、画像記憶手段２６５と、描画手段２７０と、表示手段２９５とを備える。
データ入力手段２５０は、コンテンツの描画データを入力する。具体的には、ＵＳＢ端子１２２を介したＵＳＢ規格での受信や、描画データが書き込まれたメディアカード８５ＢをカードＩ／Ｆ１３０に装着して、描画データを読み込む。
データ抽出手段２５５は、描画データの中から、所定のデータを抽出する抽出手段である。具体的には、描画データの中から、書き換え方向に関する情報を抽出し、ＲＡＭ１０５内に構成される書き換え方向記憶手段２６０に記憶する。また、描画データは、画像記憶手段２６５により、画像データに展開された後、ＶＲＡＭ１５５に転送されて記憶される。
描画手段２７０は、走査信号制御手段２７５と、この走査信号制御手段２７５に制御される走査信号ドライバ２８０と、データ信号制御手段２８５と、このデータ信号制御手段２８５に制御されるデータ信号ドライバ２９０とを備える。尚、走査信号制御手段２７５とデータ信号制御手段２８５は、ディスプレイコントローラ１１０を構成する。
ここで、例えば、画像表示装置３の表示する方向が、図４に示すポートレイトモード（ａ）であって、書き換え方向が、上下方向（１８０Ａ）である場合、走査信号制御手段２７５は、走査信号ドライバ２８０に対して、記憶性表示体１１５上で上から下の方向に走査を進めるよう指示を与える。また、データ信号制御手段２８５は、データ信号ドライバ２９０に対して、画像データ中の上から下に向かって画像が記憶されているＶＲＡＭ１５５にアクセスするよう指示を与える。他方で、書き換え方向が、下上方向（１８０Ｂ）である場合、走査信号制御手段２７５は、走査信号ドライバ２８０に対して、記憶性表示体１１５上で下から上の方向に走査を進めるよう指示を与える。また、データ信号制御手段２８５は、データ信号ドライバ２９０に対して、画像データ中の下から上に向かって画像が記憶されているＶＲＡＭ１５５にアクセスするよう指示を与える。尚、この場合、ＶＲＡＭ１５５に配置されている画像データのフォーマットは、記憶性表示体１１５の短辺方向を１ラインとする。
【００１９】
このように、パッシブ駆動の記憶性表示体１１５では、走査信号制御手段２７５は、走査信号ドライバ２８０の１ラインを選択して電圧を印加している間に、そのライン上の画素が書き換えられる。その結果、書き換え方向が、上から下へのａパターン１８０Ａである場合は、記憶性表示体１１５上で上から下に幕を引くように表示が書き換わる。同様に、書き換え方向が、下から上へのｂパターン１８０Ｂである場合は、記憶性表示体１１５上で下から上に幕を引くように表示が書き換わる。
尚、前記した走査方向は、記憶性表示体１１５の長辺方向（１８０Ａ，１８０Ｂ）に限定されない。即ち、走査信号ドライバ２８０と、データ信号ドライバ２９０とは切換え可能な構成であり、加えて、走査信号制御手段２７５と、データ信号制御手段２８５とは、それぞれ両方のドライバ（２８０，２９０）との接続が可能であることから、所定の設定により、記憶性表示体１１５の短辺方向（１８０Ｃ，１８０Ｄ）の走査も可能である。尚、この場合、ＶＲＡＭ１５５に配置されている画像データのフォーマットは、記憶性表示体１１５の長辺方向を１ラインとする。
【００２０】
＜書き換え方向規定手段の作用＞
次に、図６は、書き換え方向規定手段２１０が、描画データに基いて書き換え方向を規定する処理の流れを示すフローチャートであり、書き換え方向規定手段２１０の一連の処理について、図４および図５も参照して説明する。
処理が開始されると、最初に、描画データ生成手段２０５で設定された表示方向を調べる（ステップＳ３００）。
ここで、表示方向が横長表示の方向（ランドスケープモード）に設定された場合（ステップＳ３００で「横」）、割り付け表示をするか、否かを調べる（ステップＳ３０５）。
前記調べた結果、割り付け表示をしない場合（ステップＳ３０５で「無し」）、文字の組み方である文字方向を調べる（ステップＳ３１５）。
前記調べた結果、文字の組み方が横書きの場合（ステップＳ３１５で「横」）、書き換え方向を図５（ｆ）に示すｃパターン１８０Ｃに決定して、書き換え方向を調べるステップ（ステップＳ３７０）に進む（ステップＳ３３５）。
また、文字の組み方が縦書きの場合（ステップＳ３１５で「縦」）、書き換え方向を図５（ｇ）示すａパターン１８０Ａに決定して、書き換え方向を調べるステップ（ステップＳ３７０）に進む（ステップＳ３４０）。
また、前記した割り付け表示をするか、否かを調べる工程（ステップＳ３０５）で、割り付け表示を行う場合（ステップＳ３０５で「有り」）、割り付け順序を調べる工程（ステップＳ３２０）に進む。
ここで、割り付け順序が左から右の場合（ステップＳ３２０で「左→右」）、書き換え方向を図５（ｄ）に示すｂパターン１８０Ｂに決定して、書き換え方向を調べるステップ（ステップＳ３７０）に進む（ステップＳ３４５）。
また、割り付け順序が右から左の場合（ステップＳ３２０で「右→左」）、書き換え方向を図５（ｅ）に示すａパターン１８０Ａに決定して、書き換え方向を調べるステップ（ステップＳ３７０）に進む（ステップＳ３５０）。
【００２１】
また、前記した描画データ生成手段２０５で設定された表示方向を調べる工程（ステップＳ３００）で、表示方向が縦長表示の方向（ポートレイトモード）に設定された場合（ステップＳ３００で「縦」）、割り付け表示をするか、否かを調べる（ステップＳ３１０）。
ここで、割り付け表示をしない場合（ステップＳ３１０で「無し」）、文字の組み方である文字方向を調べる（ステップＳ３３０）。
ここで、文字の組み方が横書きの場合（ステップＳ３３０で「横」）、書き換え方向を図５（ｂ）に示すａパターン１８０Ａに決定して、書き換え方向を調べるステップ（ステップＳ３７０）に進む（ステップＳ３６０）。
また、文字の組み方が縦書きの場合（ステップＳ３３０で「縦」）、書き換え方向を図５（ｃ）に示すｄパターン１８０Ｄに決定して、書き換え方向を調べるステップ（ステップＳ３７０）に進む（ステップＳ３６５）。
また、前記した割り付け表示をするか、否かを調べる工程（ステップＳ３１０）で、割り付け表示を行う場合（ステップＳ３１０で「有り」）、割り付け順序は、上から下へ割り付ける（ステップＳ３２５）。
続いて、書き換え方向を図５（ａ）に示すａパターン１８０Ａに決定して、書き換え方向を調べるステップ（ステップＳ３７０）に進む（ステップＳ３５５）。
【００２２】
書き換え方向を調べるステップ（ステップＳ３７０）では、書き換え方向がａパターンまたはｂパターンと、ｃパターンまたはｄパターンとの何れかに分類する。
ここで、書き換え方向が、ａパターンまたはｂパターンであった場合（ステップＳ３７０で「ａパターン又はｂパターン」）、短辺方向を１ラインで描画するように設定した後（ステップＳ３７５）、一連の処理を終了する。
また、書き換え方向が、ｃパターンまたはｄパターンであった場合（ステップＳ３７０で「ｃパターン又はｄパターン」）、長辺方向を１ラインで描画するように設定した後（ステップＳ３８０）、一連の処理を終了する。
上記した方法により、コンテンツを記憶性表示体１１５に表示する方向や、割り付けに関する情報に基いて、書き換える方向を規定できる。
【００２３】
以上述べた実施形態１によれば、以下のような効果を奏する。
（１）描画データ生成手段２０５のレイアウト設定に基き、書き換え方向が規定されるため、特別のデータ等を使用者が入力すること無く、書き換え方向を規定できる。
（２）書き換え方向入力手段２１５により、使用者が書き換え方向を優先的に規定できる。
【００２４】
（実施形態２）
次に、本発明の実施形態２について、図７、図８および図９を参照して説明する。尚、以下の説明では、既に説明した部分と同一な部分については、同一符号を付してその説明を省略する。図７は、本実施形態２における画像表示システム１の機能構成を示す図である。この中で、ホストコンピュータ２側の書誌データ生成手段２４０Ａと書誌データ追加手段２４５Ａ、および、画像表示装置３側の位置指示手段２３０と割り込み指示手段２３５は、本実施形態２で追加された機能部である。
【００２５】
書誌データ生成手段２４０Ａは、例えば、コンテンツの表題名やページ情報のようなコンテンツの書誌情報を示す画像データを生成する。具体的には、この書誌データ生成手段２４０Ａは、前記した描画データ生成手段２０５が生成した情報ヘッダから書誌情報を取得し、この書誌情報に基いてコンテンツの各ページに対応した画像データを生成する。
【００２６】
書誌データ追加手段２４５Ａは、書誌情報をコンテンツよりも先に記憶性表示体１１５に表示させるべく、書き換え方向規定手段２１０で規定された書き換え方向を示す情報に基いて、書誌データ生成手段２４０Ａで作成した画像データを描画データの所定位置に追加する。
【００２７】
ここで、図８を参照して書誌データ生成手段２４０Ａと書誌データ追加手段２４５Ａの機能をより具体的に説明する。例えば、画像表示装置３の表示する方向が、図８に示すポートレイトモード（ａ）であって、文字の組み方が縦書きの場合、書き換え方向規定手段２１０は、書き換え方向を右側から左側へのｄパターン（１８０Ｄ）に規定する。また、書誌データ生成手段２４０Ａは、情報ヘッダから、このコンテンツの表題名、表示されているページおよび総ページを表示した画像データをページ毎に作成する。続いて、書誌データ追加手段２４５Ａは、書き換え方向の情報を受け、記憶性表示体１１５上でコンテンツ部１１８の右側に書誌情報部１１９が表示させるべく、コンテンツの画像の右部に書誌情報の画像が追加された画像の描画データを生成する。この場合、書誌データ追加手段２４５Ａは、書誌データ生成手段２４０Ａで生成された書誌情報の画像の中から、各ページのコンテンツ画像に対応した画像を選択する。同様に、図８のランドスケープモード（ｂ）の場合も、書誌データ追加手段２４５Ａは、書き換え方向が上部から下部へのｃパターン（１８０Ｃ）の情報を受け、記憶性表示体１１５上でコンテンツ部１１８の上側に書誌情報部１１９を表示させるべく、コンテンツの画像の上部に書誌情報の画像が追加された画像の描画データを生成する。このように、書誌データ追加手段２４５Ａは、書誌情報の画像を、記憶性表示体１１５上における書き換え方向パターンの開始側に追加する。
【００２８】
他方で、図８のランドスケープモード（ｃ）のように、書誌情報の画像をコンテンツの画像の下部に追加して、コンテンツの画像の下部から表示を開始させることも想定できる。即ち、書誌データ追加手段２４５Ａにより追加された書誌情報の画像位置は、情報ヘッダに書き込まれると共に、画像表示装置３の描画手段２７０は、書き換え方向の情報および書誌情報の画像位置に従い、走査信号制御手段２７５およびデータ信号制御手段２８５に対して、記憶性表示体１１５に表示される書誌情報部１１９の位置から下方（１８２Ｃ）に表示を開始させる。記憶性表示体１１５で書誌情報部１１９が全て表示された後は、描画手段２７０は、続いて、走査信号制御手段２７５およびデータ信号制御手段２８５に対して、最上部の位置から下方（１８４Ｃ）にコンテンツ部１１８を表示させる。このような方法でも、コンテンツ情報より先に書誌情報を表示させることができる。
【００２９】
図７に戻り、位置指示手段２３０は、例えば、ページ捲りボタン１４５のように、記憶性表示体１１５で表示するコンテンツの位置を指示する。また、割り込み指示手段２３５は、位置指示手段２３０の指示に従い、描画手段２７０に対して、記憶性表示体１１５に描画する画像の内容を最優先で更新させる。
【００３０】
ここで、図９を参照して割り込み指示手段２３５の機能を具体的に説明する。例えば、画像表示装置３に１ページ目の画像１１６Ｂが表示されている場合、送り方向のページ捲りボタン１４５Ｂが押下されると、次のページを表示する指示が位置指示手段２３０から割り込み指示手段２３５に送られる。この指示を受けて、割り込み指示手段２３５は、描画手段２７０の走査信号制御手段２７５とデータ信号制御手段２８５に対して、２ページ目の画像１１６Ａの描画を指示する。この結果、表示書換線１１７Ｂの移動に伴い、記憶性表示体１１５の上方側から２ページ目の画像１１６Ａが画素列毎に順次書き換えられる。ここで、再度、送り方向のページ捲りボタン１４５Ｂが押下されると、前記と同様に、割り込み指示手段２３５は、描画手段２７０の走査信号制御手段２７５とデータ信号制御手段２８５に対して、３ページ目の画像１１６Ｃの描画を指示する。割り込み指示手段２３５は、他の処理に優先して、記憶性表示体１１５上の画像の更新を指示するため、２ページ目の画像１１６Ａへの書き換えは中断され、表示書換線１１７Ｂは停止する。次いで、新たな表示書換線１１７Ａが出現して移動を開始し、この移動に伴い、記憶性表示体１１５の上方側から３ページ目の画像１１６Ｃが画素列毎に順次書き換えられる。
【００３１】
本実施形態２によれば、実施形態１で述べた（１）、（２）の効果に加え、以下のような効果を奏することができる。
（３）書誌情報がコンテンツよりも優先して表示されることから、画像表示装置３に表示されているコンテンツに関する書誌情報の視認性が向上する。
（４）ページ捲り操作が実行された場合、記憶性表示体１１５に表示される画像は即座に反応するため、画像表示装置３の操作性が向上する。
（５）ページ捲りボタン１４５Ｂが連続して押下された場合、押下回数に対応した書誌情報は、記憶性表示体１１５上に優先して表示されるため、コンテンツの所定のページ検索が容易になる。
【００３２】
（実施形態３）
次に、本発明の実施形態３について、図１０を参照して説明する。図１０は、本実施形態３における画像表示システム１の機能構成を示す図である。この中で、画像表示装置３側の書誌データ生成手段２４０Ｂおよび書誌データ追加手段２４５Ｂは、本実施形態３で追加された機能部である。前記実施形態１では、データ抽出手段２５５は、入力された描画データの中から、書き換え方向に関する情報を抽出していたが、本実施形態３では、更に書誌情報を抽出して、書誌データ生成手段２４０Ｂに送る。具体的には、書誌情報は、前記した情報ヘッダに含まれているため、データ抽出手段２５５は、描画データの中から情報ヘッダを抽出して、書誌データ生成手段２４０Ｂに送る。
尚、書誌データ生成手段２４０Ｂおよび書誌データ追加手段２４５Ｂの機能は、前記した実施形態２と同様であるので省略する。
【００３３】
本実施形態３によれば、実施形態１で述べた（１）、（２）の効果に加え、実施形態２で述べた（３）の効果を奏することができる。
【００３４】
以上、本発明を図示した実施形態１、実施形態２および実施形態３に基づいて説明したが、本発明は、これらに限定されるものではなく、以下に述べるような変形例も想定できる。
（１）２ページを割り付けて表示する場合、前記したこれらの実施形態では、先行するページ（１ページ）の画像を先に全て表示した後、後続のページ（２ページ）の画像を続いて表示するように書き換えたが、この順序に限らず、割り付け表示しない場合と同様に、文字の組み方に合わせて書き換えても良い。
（２）前記したこれらの実施形態では、表示記憶性を備えたパッシブな表示体を採用したが、このような表示体に限定されない。即ち、アクティブで表示記憶性を有しない表示体に対しても、適用できる。また、書き換えを瞬時に行う表示体であっても、コンテンツに合わせた書き換えを演出効果として与えるべく適用しても良い。
（３）画像表示装置３のデータ抽出手段２５５は、描画データの中から、書き換え方向に関する情報を抽出するが、描画データの中に、書き換え方向に関する情報が明示的に含まれない場合は、描画データの他のデータが示す情報に基いて、書き換え方向を画像表示装置３が規定しても良い。
【図面の簡単な説明】
【００３５】
【図１】本発明の実施形態１に係る画像表示システムの外観を示す外観構成図。
【図２】前記実施形態１における画像表示システムのハードウェア構成を示す構成図。
【図３】前記実施形態１における画像表示システムの機能構成を示す機能構成図。
【図４】前記実施形態１における画像表示装置の表示する方向を説明する図。
【図５】前記実施形態１における画像表示装置の書き換え方向を説明する図。
【図６】前記実施形態１における書き換え方向規定手段が書き換え方向を規定する処理の流れを示すフローチャート。
【図７】本発明の実施形態２における画像表示システム１の機能構成を示す機能構成図。
【図８】前記実施形態２における画像表示装置の表示する方向を説明する図。
【図９】前記実施形態２における画像表示システムの外観を示す外観構成図。
【図１０】本発明の実施形態３における画像表示システム１の機能構成を示す機能構成図。
【符号の説明】
【００３６】
１…画像表示システム、２…ホストコンピュータ、３…画像表示装置、１０…ＣＰＵ、１５…ＲＡＭ、２０…ディスプレイコントローラ、２５…ディスプレイ、３０…ＲＯＭ、３５…ハードディスクコントローラ、４０…ＨＤＤ、４５…マウスコントローラ、５０…マウス、５５…キーボードコントローラ、６０…キーボード、６５…ＵＳＢコントローラ、６６…ＵＳＢ端子、７０…バス、７５…本体部、８０…カードＩ／Ｆ、８２…ＵＳＢケーブル、８５…メディアカード、１００…ＣＰＵ、１０５…ＲＡＭ、１１０…ディスプレイコントローラ、１１５…記憶性表示体、１１７…表示書換線、１１８…コンテンツ部、１１９…書誌情報部、１２０…ＵＳＢコントローラ、１２２…ＵＳＢ端子、１２５…ＲＯＭ、１３０…カードＩ／Ｆ、１４０…入力Ｉ／Ｆ、１４５…ボタン、１５０…バス、１５５…ＶＲＡＭ、２００…コンテンツ作成手段、２０５…描画データ生成手段、２１０…書き換え方向規定手段、２１５…書き換え方向入力手段、２２０…データ合成手段、２２５…データ出力手段、２４０…書誌データ生成手段、２４５…書誌データ追加手段、２５０…データ入力手段、２５５…データ抽出手段、２６０…書き換え方向記憶手段、２６５…画像記憶手段、２７０…描画手段、２７５…走査信号制御手段、２８０…走査信号ドライバ、２８５…データ信号制御手段、２９０…データ信号ドライバ、２９５…表示手段。
【図１】
2006285176.tif 000003
【図２】
2006285176.tif 000004
【図３】
2006285176.tif 000005
【図４】
2006285176.tif 000006
【図５】
2006285176.tif 000007
【図６】
2006285176.tif 000008
【図７】
2006285176.tif 000009
【図８】
2006285176.tif 000010
【図９】
2006285176.tif 000011
【図１０】
2006285176.tif 000012